(57)【要約】【課題】例えば、挿入口が待機時に常に塞がれる情報処理装置であっても、記録媒体を収容する際の操作を減らすことができる情報処理装置を提供する。【解決手段】情報処理装置としてのＣＤチェンジャ１はＣＤ２を機器本体３に出し入れするディスク搬送部４とＣＤ２を機器本体３に出し入れする際にＣＤ２が通る挿入口３１を開閉するとともにディスク搬送部４がＣＤ２を出し入れする時のみ挿入口３１を開放する開閉部１７とを備えている。ディスク搬送部４を開閉部１７よりも機器本体３の外側に配置している。【選択図】図４
2008251125.tif 000002
【特許請求の範囲】
【請求項１】
記録媒体を機器本体に出し入れする搬送部と、
記録媒体を機器本体に出し入れする際に前記記録媒体が通る挿入口を開閉するとともに、前記搬送部が記録媒体を出し入れする時のみ前記挿入口を開放する開閉部と、を備えた情報処理装置において、
前記搬送部を前記開閉部よりも機器本体の外側に配置したことを特徴とする情報処理装置。
【請求項２】
前記搬送部が、互いの間に前記記録媒体を挟みこんで当該記録媒体を出し入れする一対の挟持部材と、これら一対の挟持部材間に前記記録媒体が挿入されたことを検出する検出手段とを備え、
前記検出手段が前記一対の挟持部材間に前記記録媒体が挿入されたことを検出すると、前記搬送部に記録媒体の出し入れを行わせるとともに、前記開閉部に前記挿入口を開放させる制御手段を備えたことを特徴とする請求項１記載の情報処理装置。
【発明の詳細な説明】
【技術分野】
【０００１】
本発明は、機器本体に記録媒体を出し入れする挿入口を開閉する開閉部を備えた情報処理装置に関する。
【背景技術】
【０００２】
自動車のインストルメントパネルには、記録媒体としてのコンパクトディスク（以下、ＣＤと記す）を複数枚収容して、これら複数のＣＤのうちの任意の一枚のＣＤの情報を再生する情報処理装置としてのＣＤチェンジャ（例えば、特許文献１参照）が取り付けられることがある。
【０００３】
この種のＣＤチェンジャは、機器本体と、この機器本体に設けられた挿入口を開閉する開閉部と、開閉部よりも機器本体の内側に配置されてこの機器本体にＣＤを出し入れする搬送部と、機器本体内に収容された複数のＣＤのうち任意の一つのＣＤから情報を読み出して再生する再生部と、を備えている。
【０００４】
前述した従来のＣＤチェンジャは、機器本体内に過度の枚数のＣＤが挿入されることを防止するために、開閉部が、ＣＤを出し入れする時のみ挿入口を開放し、ＣＤを出し入れしない時には挿入口を塞ぐ。即ち、従来のＣＤチェンジャは、その待機時には、挿入口  を常に塞いでおく。
【特許文献１】特開２００５−２７６３５６号公報
【発明の開示】
【発明が解決しようとする課題】
【０００５】
しかしながら、前述した特許文献１に示されたＣＤチェンジャは、開閉部が、ＣＤを出し入れする時以外即ち待機時では、常に挿入口を塞いでいる。このため、特許文献１に示されたＣＤチェンジャは、ＣＤを機器本体内に収容するための専用のスイッチを設けて、当該スイッチを操作された後に、開閉部が挿入口を開放するようになっている。
【０００６】
よって、前述した特許文献１に示されたＣＤチェンジャは、ＣＤを直接挿入口に挿入して、当該ＣＤの収容動作を開始することができない。したがって、ＣＤチェンジャ内にＣＤを収容する際には、必ず、前述したスイッチを操作する必要が生じて、使用者の手間が増加してしまう。
【０００７】
したがって、本発明の目的は、例えば、挿入口が待機時に常に塞がれる情報処理装置であっても、記録媒体を収容する際の操作を減らすことができる情報処理装置を提供することにある。
【課題を解決するための手段】
【０００８】
前記課題を解決し目的を達成するために、請求項１に記載の本発明の情報処理装置は、記録媒体を機器本体に出し入れする搬送部と、記録媒体を機器本体に出し入れする際に前記記録媒体が通る挿入口を開閉するとともに、前記搬送部が記録媒体を出し入れする時のみ前記挿入口を開放する開閉部と、を備えた情報処理装置において、前記搬送部を前記開閉部よりも機器本体の外側に配置したことを特徴としている。
【発明を実施するための最良の形態】
【０００９】
以下、本発明における情報処理装置の実施の形態について説明する。本発明の実施の形態にかかる情報処理装置は、搬送部を開閉部よりも機器本体の外側に配置したので、開閉部が挿入口を塞いだ状態であっても、搬送部に記録媒体を挿入することを可能としている。このため、搬送部に記録媒体が挿入されたことを検出すると、開閉部が挿入口を開放するようにすることで、記録媒体を搬送部に挿入することのみによって、当該記録媒体を機器本体内に収容することができるようにしたものである。こうすることで、挿入口が待機時に常に塞がれる情報処理装置であっても、記録媒体を搬送部に挿入することのみによって当該記録媒体を機器本体内に収容でき、記録媒体を収容する際の操作を減らすことを可能としている。
【００１０】
また、本発明の情報処理装置は、搬送部の一対の挟持部材間に記録媒体を挿入することを可能とし、これら一対の挟持部材間に記録媒体が挿入されたことを検出する検出手段と、検出手段が一対の挟持部材間に記録媒体が挿入されたことを検出すると開閉部に挿入口を開放させかつ搬送部に出し入れを行わせる制御手段とを備えても良い。
【００１１】
この場合、記録媒体を搬送部に挿入することのみによって、当該記録媒体を機器本体内に収容することができるようになり、挿入口が待機時に常に塞がれる情報処理装置であっても、記録媒体を搬送部に挿入することのみによって当該記録媒体を機器本体内に収容でき、記録媒体を収容する際の操作を減らすことが確実に可能となる。
【実施例】
【００１２】
以下、本発明の一実施例にかかる情報処理装置の一例としてのＣＤチェンジャ１を、図１ないし図５に基づいて説明する。図１などに示すＣＤチェンジャ１は、自動車などの移動体に装備されて、記録媒体としてのＣＤ２（図２などに示す）を複数収容して、これらのＣＤ２から任意のＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００１３】
ＣＤチェンジャ１は、図２に示すように、機器本体３（図１に示す）と、図示しない操作部と、開閉部１７（図４及び図５に示す）と、搬送部としてのディスク搬送部４と、内側搬送部１５と、ディスク再生部５と、ディスク収容部６と、ディスク移動機構７と、制御手段としてのマイクロプロセッサ（ＭＰＵ）１６（図４に示す）と、を備えている。なお、以下、図２中の矢印ＸをＣＤチェンジャ１の幅方向と記し、矢印ＹをＣＤチェンジャ１の奥行き方向と記し、矢印ＺをＣＤチェンジャ１の厚み方向と記す。
【００１４】
機器本体３は、合成樹脂からなる挿入口１０を備えた図１に示す外側ケース８と、板金などからなる図２などに示す固定シャーシ９などを備えている。外側ケース８は、扁平な箱状に形成されている。外側ケース８には、ＣＤ２を出し入れ可能な挿入口１０が設けられている。挿入口１０は、外側ケース８の外壁を貫通している。挿入口１０は、内側にＣＤ２を通すことができる。挿入口１０は、横長の扁平な孔である。挿入口１０と後述の挿入口３１を通して、前記ＣＤ２は、外側ケース８即ち機器本体３内に収容されたり、該機器本体３内から排出される。
【００１５】
固定シャーシ９は、外側ケース８内に収容されているとともに、該外側ケース８に固定されている。固定シャーシ９は、図２に示すように、板状の底板１１と、この底板１１の外縁から立設した周板１２とを備えている。底板１１は、外側ケース８の図１中下側に位置する壁上に重ねられている。
【００１６】
操作部は、機器本体３と別体でかつこの機器本体３に接続している。操作部は、ＣＤチェンジャ１の使用者により押圧されるなどして操作される。操作部は、使用者に操作されることで、挿入口１０を通して機器本体３内に挿入されるＣＤ２を保持する後述のホルダ１９を設定するために用いられる。操作部は、使用者に操作されることで、挿入口１０を通して機器本体３外に排出されるＣＤ２を保持したホルダ１９を設定するために用いられる。操作部は、使用者に操作されることで、複数のホルダ１９に保持されたＣＤ２のうち情報を読み出すＣＤ２を設定するために用いられる。
【００１７】
開閉部１７は、ＣＤ２を機器本体３の内外に搬送する際に、内側にＣＤ２を通す前述した挿入口１０と後述の移動部材としての移動シャッタ２８に設けられた挿入口３１を開閉する。この開閉部１７の詳細な構成は、後ほど、説明する。
【００１８】
ディスク搬送部４は、機器本体３の外側ケース８内に収容され、かつ固定シャーシ９外に配置されており、後述の内側搬送部１５と協働して、機器本体３の内外にＣＤ２を搬送する。ディスク搬送部４の詳細な構成は、後ほど、説明する。
【００１９】
内側搬送部１５は、機器本体３の固定シャーシ９内に収容され、図２に示すように、ローラアーム１３と、ローラ１４とを備えている。ローラアーム１３は、板金などからなり、長手方向が機器本体３の幅方向Ｘに沿った帯状に形成されている。ローラアーム１３は、挿入口１０の近傍に配され、機器本体３の固定シャーシ９に取り付けられている。
【００２０】
ローラ１４は、ローラアーム１３に軸芯周りに回転自在に支持されている。ローラ１４の軸芯即ち長手方向は、ＣＤチェンジャ１の幅方向Ｘに沿っている。ローラ１４は、外周面に挿入口１０内を通されるＣＤ２が接触する。ローラ１４の端部には、当該ローラ１４と一体に回転自在な伝達歯車２０が取り付けられている。この伝達歯車２０には、複数の歯車２１を介して固定シャーシ９に固定されたモータ２２の駆動力が伝達される。ローラ１４は、複数の歯車２１及び伝達歯車２０などを介して伝達されたモータ２２の駆動力により、軸芯周りに回転される。ローラ１４の外周面にＣＤ２が接触し、ローラ１４がモータ２２により回転駆動されることで、ディスク搬送部４は、挿入口１０，３１内にＣＤ２を通す。ディスク搬送部４は、挿入口１０，３１内にＣＤ２を通すことで、ＣＤ２を機器本体３の内外に搬送する（出し入れする）。
【００２１】
ディスク再生部５は、機器本体３内に収容されており、移動シャーシと、この移動シャーシに揺動自在に支持された揺動シャーシと、クランプ再生部とを備えている。移動シャーシは、枠状に形成され、厚み方向Ｚ即ちＣＤ２同士が重ねられる方向に沿って移動自在に固定シャーシ９に支持されている。
【００２２】
揺動シャーシは、帯板状に形成されている。揺動シャーシは、一端部を中心として回動自在に移動シャーシに支持されている。揺動シャーシは、一端部を中心として回動することで、ディスク収容部６に収容される複数のＣＤ２間に他端部が侵入する状態と、ディスク収容部６に収容される複数のＣＤ２間から他端部が抜け出る状態とに亘って変位自在になっている。
【００２３】
クランプ再生部は、揺動シャーシ上に設けられている。クランプ再生部は、ＣＤ２をクランプするターンテーブルと、当該ターンテーブルを回転するスピンドルモータと、ターンテーブルにクランプされたＣＤ２の径方向に移動自在でかつＣＤ２からの情報を読み出すピックアップなどを備えている。クランプ再生部は、揺動シャーシの他端部がＣＤ２間に侵入して、ターンテーブルが該ＣＤ２をクランプして、スピンドルモータが当該ＣＤ２を回転する。そして、クランプ再生部は、ターンテーブルが回転しているＣＤ２からピックアップが情報を読み出す。
【００２４】
ディスク再生部５は、揺動シャーシの他端部がＣＤ２間に侵入して、ターンテーブルがＣＤ２をクランプするとともに、ターンテーブルがＣＤ２を回転する。ディスク再生部５は、ピックアップが、ターンテーブルにより回転されたＣＤ２から情報を読み出す。
【００２５】
ディスク収容部６は、機器本体３内に収容されており、図２に示すように、移動シャーシ１８と、複数の保持部材としてのホルダ１９とを備えている。移動シャーシ１８は、板金などからなり、板状に形成されている。移動シャーシ１８は、固定シャーシ９の底板１１と間隔をあけて平行に配されている。移動シャーシ１８は、固定シャーシ９の底板１１との間にディスク再生部５を位置付けることが可能である。移動シャーシ１８は、前述した厚み方向Ｚ即ちＣＤ２同士が重ねられる方向に沿って移動自在に固定シャーシ９の周板１２などに支持されている。
【００２６】
ホルダ１９は、合成樹脂からなり、板状に形成されている。ホルダ１９の平面形状は、Ｃ字状に形成されている。ホルダ１９は、底板１１と移動シャーシ１８との双方と平行な状態で、図示せぬ円柱カムに支持されている。ホルダ１９は、そのＣ字状に形成された開口部が挿入口１０と相対する状態に配されている。
【００２７】
ホルダ１９は、挿入口１０を通して機器本体３に挿入されたＣＤ２が、開口部を通して内側に侵入することで、このＣＤ２を保持する。複数のホルダ１９は、各々が保持するＣＤ２の表面が互いに平行になるように、互いに重ねられて配されている。ホルダ１９は、前記厚み方向Ｚに沿って移動自在に移動シャーシ１８などに支持されている。ディスク収容部６は、ＣＤ２を保持可能な複数のホルダ１９を積層配列して収容する。
【００２８】
ディスク移動機構７は、機器本体３内に収容されており、ディスク再生部５とディスク収容部６の双方の移動シャーシ１８を厚み方向Ｚに沿って移動させるとともに、ディスク収容部６の各ホルダ１９を厚み方向Ｚに沿って移動させる。ディスク移動機構７は、機器本体３内のＣＤ２から情報を読み出す際には、ディスク収容部６の移動シャーシ１８を底板１１から最も遠ざけて即ち最も上昇させて、ディスク再生部５の移動シャーシを厚み方向Ｚに沿って移動させる。そして、ディスク移動機構７は、ディスク収容部６のホルダ１９を厚み方向Ｚに沿って移動させて、一つのＣＤ２を保持したホルダ１９を他のホルダ１９から遠ざけて、これらのホルダ１９間に揺動シャーシの他端部を侵入させて、ディスク再生部５のクランプ再生部に前述した一つのＣＤ２から情報を読み出させる。
【００２９】
ディスク移動機構７は、機器本体３の内外にＣＤ２を出し入れする際には、ディスク再生部５の移動シャーシを底板１１に最も近づけて即ち最も降下させて、ディスク収容部６の移動シャーシ１８を厚み方向Ｚに沿って移動させる。そして、ディスク移動機構７は、ディスク収容部６のホルダ１９を厚み方向Ｚに沿って移動させて、機器本体３に挿入されたＣＤ２を保持する又は保持したＣＤ２を機器本体３外に排出する一つのホルダ１９を他のホルダ１９から遠ざけるとともに、この一つのホルダ１９をディスク搬送部４の後述のローラアーム１３とディスクガイド４０との間と奥行き方向Ｙに沿って並ぶ位置に位置付けて、機器本体３に挿入されたＣＤ２を前述した一つのホルダ１９に保持させたり、前述した一つのホルダ１９に保持されたＣＤ２を機器本体３外に排出させる。
【００３０】
開閉部１７は、図４及び図５に示すように、固定部材としての固定シャッタ２７と、移動部材としての移動シャッタ２８と、スライド案内手段としてのスライド案内部２９と、スライド駆動部３０とを備えている。
【００３１】
固定シャッタ２７は、板金からなり矩形状の平板に形成されている。固定シャッタ２７は、固定シャーシ９の図４中の幅方向Ｘの両端に位置する周板１２と一体に連なっている。このため、固定シャッタ２７は、機器本体３に固定されている。固定シャッタ２７は、その長手方向が機器本体３の幅方向Ｘと平行な状態に配されている。固定シャッタ２７は、前述した挿入口１０が設けられた外側ケース８の外壁の内側に配され、該外壁に重ねられている。固定シャッタ２７は、挿入口１０より図１中の上方に配されている。固定シャッタ２７は、移動シャッタ２８を移動自在に設けている。
【００３２】
移動シャッタ２８は、板金からなり矩形状の平板に形成されている。移動シャッタ２８は、スライド案内部２９などにより、固定シャッタ２７に対し移動自在に支持されている。移動シャッタ２８は、その長手方向が機器本体３の幅方向Ｘと平行な状態に配されている。移動シャッタ２８は、図４中の上方に位置する縁部が前記固定シャッタ２７に重ねられ、固定シャッタ２７より機器本体３の内側に配されている。このため、固定シャッタ２７と移動シャッタ２８とは、重ねられて配置されている。また、移動シャッタ２８には、内側にＣＤ２を通すことのできる挿入口３１が設けられている。挿入口３１は、勿論、移動シャッタ２８を貫通して、ＣＤ２を機器本体３に出し入れする際に、内側にＣＤ２が通る。
【００３３】
さらに、移動シャッタ２８には、後述のモータ３６によりスライド移動する移動アーム３７（図４などに示す）の一端部３７ａ（図４などに示す）が係止している。移動シャッタ２８は、モータ３６の駆動力により移動アーム３７がスライド移動すると、挿入口１０，３１の長手方向（矢印Ｘ方向）即ちこれらの挿入口１０，３１内に通されるＣＤ２の表面即ち幅方向Ｘに沿って移動する。
【００３４】
スライド案内部２９は、一対の突起３２と、一対の孔３３とを備えている。一対の突起３２は、それぞれ、移動シャッタ２８に設けられている。突起３２は、移動シャッタ２８の固定シャッタ２７と重なる縁部に設けられている。一対の突起３２は、移動シャッタ２８の長手方向の両端部即ち移動シャッタ２８の機器本体３の幅方向Ｘの両端部に設けられている。一対の突起３２は、互いの間に前述した挿入口３１を位置付けている。突起３２は、移動シャッタ２８から固定シャッタ２７に向かって凸に形成されている（突出している）。
【００３５】
一対の孔３３は、それぞれ、固定シャッタ２７に設けられている。孔３３は、勿論、固定シャッタ２７を貫通している。一対の孔３３は、固定シャッタ２７の長手方向の両端部即ち固定シャッタ２７の機器本体３の幅方向Ｘの両端部に設けられている。一対の孔３３内には、移動シャッタ２８に設けられた突起３２が侵入する。
【００３６】
孔３３は、平行部３４と、傾斜部３５とを備えている。平行部３４は、機器本体３の幅方向Ｘ即ち挿入口１０，３１内に通されるＣＤ２の表面に沿って直線状に延びている。傾斜部３５は、平行部３４に連なり、該平行部３４から移動シャッタ２８の固定シャッタ２７から露出した縁部に向かって延びている。即ち、傾斜部３５は、後述の開放位置で、平行部３４から移動シャッタ２８の挿入口３１に向かって延びている。こうして、傾斜部３５は、機器本体３の幅方向Ｘ即ち挿入口１０，３１内を通されるＣＤ２の表面と、該ＣＤ２の表面に対し直交する方向と、の双方に対し交差する方向に沿って直線状に延びている。
【００３７】
前述したスライド案内部２９は、孔３３内に突起３２を位置付けることで、図４に示す閉鎖位置と、図５に示す開放位置とに亘って、移動シャッタ２８が移動するように案内する。このため、移動シャッタ２８は、前述した閉鎖位置と開放位置とに亘って、移動自在である。
【００３８】
閉鎖位置では、突起３２は、平行部３４又は傾斜部３５の平行部３４寄りの端に位置している。閉鎖位置では、移動シャッタ２８と固定シャッタ２７との重なる部分が大きくなって（即ち、移動シャッタ２８が固定シャッタ２７寄りに位置して）、移動シャッタ２８に設けられた挿入口３１は、固定シャッタ２７により塞がれている。即ち、閉鎖位置では、挿入口３１は、塞がれている。
【００３９】
前述したように閉鎖位置では、突起３２が平行部３４又は傾斜部３５の平行部３４寄りの端に位置しているので、スライド案内部２９は、移動シャッタ２８が機器本体３の幅方向Ｘ即ち挿入口１０，３１内を通されるＣＤ２の表面に沿って移動することを許容し、移動シャッタ２８が機器本体３の幅方向即ち挿入口１０，３１内を通されるＣＤ２の表面に対し交差する方向に沿って移動することを規制する。
【００４０】
開放位置では、突起３２は、傾斜部３５の中央部に位置している。開放位置では、移動シャッタ２８と固定シャッタ２７との重なる部分が小さくなって（即ち、移動シャッタ２８が固定シャッタ２７から離れて）、移動シャッタ２８に設けられた挿入口３１は、固定シャッタ２７により塞がれることなく、開放されている。即ち、開放位置では、挿入口３１は、開放されている。
【００４１】
また、開放位置では、移動シャッタ２８に設けられた挿入口３１は、機器本体３の外側ケース８の外壁に設けられた挿入口１０と重なる（連なる）。前述した閉鎖位置では突起３２が平行部３４又は平行部３４の傾斜部３５寄りの端に位置し、開放位置では突起３２が傾斜部３５の中央部に位置するので、移動シャッタ２８が閉鎖位置と開放位置とに亘って移動する際に、突起３２は、傾斜部３５内に位置する。
【００４２】
スライド駆動部３０は、駆動源としてのモータ３６と、移動アーム３７とを備えている。モータ３６は、機器本体３の固定シャーシ９に固定されている。移動アーム３７は、移動シャッタ２８の内側に重ねられて、幅方向Ｘに沿ってスライド自在に設けられている。移動アーム３７は、その一端部３７ａが移動シャッタ２８に係止し、他端部にモータ３６の出力軸に取り付けられたピニオンと噛み合うラック部３７ｂが設けられている。スライド駆動部３０は、モータ３６の駆動力によって、移動アーム３７を幅方向Ｘに沿ってスライドさせて、移動シャッタ２８を閉鎖位置と開放位置とに亘って、移動させる。
【００４３】
前述した開閉部１７は、機器本体３内にＣＤ２を挿入する際又は機器本体３内のＣＤ２を機器本体３外に排出する際（ＣＤ２を機器本体３に出し入れする時のみ）に、移動シャッタ２８を開放位置に位置付けて、挿入口１０，３１を開放する。前述した開閉部１７は、機器本体３内のＣＤ２を再生する際、待機時などには、移動シャッタ２８を閉鎖位置に位置付けて、挿入口１０，３１を閉鎖する（閉じる）。また、開閉部１７は、モータ３６の駆動力により移動アーム３７がスライド移動して、移動シャッタ２８が機器本体３の幅方向Ｘ即ち挿入口１０，３１内を通されるＣＤ２の表面に沿って移動することで、移動シャッタ２８が前述した閉鎖位置と開放位置とに亘って移動する。
【００４４】
ディスク搬送部４は、図３及び図４に示すように、搬送部本体としての本体シャーシ３８と、挟持部材としてのローラアーム３９と、挟持部材としてのディスクガイド４０と、伝達歯車４１とを備えている。
【００４５】
本体シャーシ３８は、板金で構成されて、固定シャッタ２７の外面に取り付けられている。本体シャーシ３８即ちディスク搬送部４は、開閉部１７よりも固定シャーシ９の外側に位置付けられている。
【００４６】
ローラアーム３９は、板金などからなり、長手方向が機器本体３の幅方向Ｘに沿った帯状に形成されている。ローラアーム３９は、挿入口３１の近傍に配され、奥行き方向Ｙの機器本体３の奥寄りの一端部を中心として、本体シャーシ３８に幅方向Ｘ回りに回転自在に支持されている。ローラアーム３９は、その他端部に搬送ローラ４２を回転自在に支持している。
【００４７】
搬送ローラ４２は、その軸芯が幅方向Ｘと平行に配置され、ローラアーム３９の他端部に軸芯周りに回転自在に支持されている。搬送ローラ４２の図４中手前側の端部には、ローラ駆動用の歯車４３が同軸的に固定されている。搬送ローラ４２は、外周面に機器本体３に出し入れされるＣＤ２が接触する。また、搬送ローラ４２は、当該搬送ローラ４２即ちローラアーム３９の他端部をディスクガイド４０に向かって付勢するコイルばね４４が取り付けられている。即ち、このコイルばね４４は、搬送ローラ４２即ちローラアーム３９とディスクガイド４０とを互いに近づける方向に付勢する付勢手段となっている。
【００４８】
ディスクガイド４０は、ＣＤ２との摩擦係数の小さな合成樹脂で構成され、帯板状に形成されている。ディスクガイド４０は、その長手方向が幅方向Ｘと平行に配置され、かつ本体シャーシ３８に固定されている。ディスクガイド４０は、コイルばね４４によって搬送ローラ４２が付勢されることで、表面上に位置付けるＣＤ２を搬送ローラ４２との間に挟みこむ。
【００４９】
伝達歯車４１は、固定シャッタ２７に回転自在に支持され、内側搬送部１５のローラ  の端部に取り付けられた伝達歯車２０と、搬送ローラ４２の端部に取り付けられたローラ駆動用の歯車４３との双方と噛み合っている。
【００５０】
前述した構成によれば、ディスク搬送部４は、搬送ローラ４２即ちローラアーム３９とディスクガイド４０との間にＣＤ２を挟み込んで、モータ２２の駆動力により搬送ローラ４２が回転されて、当該ＣＤ２を機器本体３に出し入れする。こうして、ディスク搬送部４は、内側搬送部１５と協働して、ＣＤ２を機器本体３に出し入れする。
【００５１】
また、ディスク搬送部４は、検出手段としての検出部４５を備えている。検出部４５は、図４に示すように、一対の検知ピン４６と、検出スイッチ４７とを備えている、一対の検知ピン４６は、幅方向Ｘに沿って互いに間隔をあけて配置され、各々がディスクガイド４０に幅方向Ｘに沿って移動自在に設けられている。また、検知ピン４６は、ディスクガイド４０と搬送ローラ４２との間に挿入されたＣＤ２の外縁と接触する。
【００５２】
一対の検知ピン４６は、図示しない付勢手段によって、互いに近づく方向に付勢されている。このため、一対の検知ピン４６は、ディスクガイド４０と搬送ローラ４２との間にＣＤ２が挿入されると、当該ＣＤ２の外縁に押圧されて、互いに離れる方向に移動する。
【００５３】
検出スイッチ４７は、ディスクガイド４０に設けられ、一対の検知ピン４６がディスクガイド４０と搬送ローラ４２との間にＣＤ２が挿入されたときと同様に互いに離れると、検知ピン４６によってオンされて、ディスクガイド４０と搬送ローラ４２との間にＣＤ２が挿入されたことを検出する。検出スイッチ４７は、ディスクガイド４０と搬送ローラ４２との間にＣＤ２が挿入されたことをＭＰＵ１６に向かって出力する。
【００５４】
このように、検出部４５は、検出スイッチ４７がディスクガイド４０と搬送ローラ４２との間にＣＤ２が挿入されたことを検出する。
【００５５】
ＭＰＵ１６は、周知のように、予め定めたプログラムに従って各種の処理や制御などを行う中央演算処理装置（ＣＰＵ）と、ＣＰＵのためのプログラム等を格納した読み出し専用のメモリであるＲＯＭと、各種のデータを格納するとともにＣＰＵの処理作業に必要なエリアを有する読み出し書き込み自在のメモリであるＲＡＭ等を有して構成しており、ＭＰＵ１６には、検出部４５の検出スイッチ４７と、モータ２２，３６、ディスク移動機構７などが電気的に接続されて、ディスク搬送部４及び開閉部１７等即ちＣＤチェンジャ１全体の制御をつかさどる。
【００５６】
ＭＰＵ１６は、ＣＤチェンジャ１の待機時やＣＤ２に記憶された情報の再生時には、モータ３６を制御して、開閉部１７に挿入口３１を閉じさせておく（即ち、移動シャッタ２８を前述した閉鎖位置に位置付けておく）。このように、ＣＤチェンジャ１は、その待機時に常に挿入口１０，３１を閉じておく。さらに、ＭＰＵ１６は、ＣＤチェンジャ１の待機時やＣＤ２に記憶された情報の再生時には、モータ２２を停止して、搬送ローラ４２及びローラ１４を停止させておく。
【００５７】
そして、ＣＤチェンジャ１の待機時に、ＭＰＵ１６は、検出部４５の検出スイッチ４７がディスクガイド４０と搬送ローラ４２との間にＣＤ２が挿入されたことを検出し、ホルダ１９に空きがあると（ＣＤ２を保持していないホルダ１９が存在すると）、ディスク移動機構７にこのＣＤ２を保持していないホルダ１９を挿入口１０，３１と奥行き方向Ｙに並ぶ位置に位置付けさせ、モータ２２を駆動して、ＣＤ２を機器本体３に収容する方向に搬送ローラ４２及びローラ１４を回転させて、ディスク搬送部４にＣＤ２の出し入れを行わせる。そして、ディスクガイド４０と搬送ローラ４２との間に挟まれたＣＤ２が移動シャッタ２８に当接すると、ＭＰＵ１６が、モータ３６を駆動して、移動シャッタ２８を移動させて、開閉部１７に挿入口３１を開放させる（即ち、移動シャッタ２８を前述した開放位置に位置付ける）。すると、ディスクガイド４０と搬送ローラ４２との間に挿入されたＣＤ２が挿入口３１を通って、機器本体３内に収容されて、前述したホルダ１９に保持される。
【００５８】
そして、前述したＭＰＵ１６は、操作部からの命令とおりに、ディスク再生部５及びディスク移動機構７などを制御して、所望のＣＤ２の所望のプログラムを再生する。さらに、前述したＭＰＵ１６は、操作部からの命令とおりに、ディスク移動機構７、内側搬送部１５、開閉部１７及びディスク搬送部４などを制御して、所望のホルダ１９に保持されたＣＤ２を機器本体３外に排出する。
【００５９】
本実施例によれば、ディスク搬送部４を開閉部１７よりも機器本体３の固定シャーシ９の外側に配置したので、開閉部１７が挿入口３１を塞いだ状態であっても、ディスク搬送部４にＣＤ２を挿入することが可能である。このため、ディスク搬送部４にＣＤ２が挿入されたことを検出すると、開閉部１７が挿入口３１を開放してディスク搬送部４に出し入れを行わせることで、ＣＤ２をディスク搬送部４に挿入することのみによって、当該ＣＤ２を機器本体３内に収容することができる。したがって、挿入口３１が待機時に常に塞がれるＣＤチェンジャ１であっても、ＣＤ２をディスク搬送部４に挿入することのみによって、当該ＣＤ２を機器本体３内に収容でき、ＣＤ２を収容する際の操作を減らすことが可能となる。
【００６０】
また、本発明のＣＤチェンジャ１は、ディスク搬送部４のローラアーム３９即ち搬送ローラ４２とディスクガイド４０との間にＣＤ２を挿入することを可能とし、これらの搬送ローラ４２とディスクガイド４０との間にＣＤ２が挿入されたことを検出する検出部４５と、検出部４５が搬送ローラ４２とディスクガイド４０との間にＣＤ２が挿入されたことを検出すると開閉部１７に挿入口３１を開放させかつディスク搬送部４に出し入れを行わせるＭＰＵ１６を備えている。
【００６１】
このため、ＣＤ２をディスク搬送部４に挿入することのみによって、当該ＣＤ２を機器本体３内に確実に収容できるようになり、挿入口３１が待機時に常に塞がれるＣＤチェンジャ１であっても、ＣＤ２をディスク搬送部４に挿入することのみによって当該ＣＤ２を機器本体３内に収容でき、ＣＤ２を収容する際の操作を減らすことが確実に可能となる。
【００６２】
前述した実施例では、記録媒体としてのＣＤ２を複数収容するＣＤチェンジャ１を示している。しかしながら、本発明では、例えば、ディスク形記録媒体としてのＭＤ（Mini Disc）を複数収容するＭＤチェンジャや、例えば、ＤＶＤ（Digital VersatileDisc）などの他のディスク形記録媒体を複数収容する情報処理装置に適用しても良い。さらに、本発明は、前述したＭＤ、ＤＶＤなどの記録媒体を一枚のみ収容して、収容した一枚の記録媒体の情報を再生する情報処理装置にも適用することができる。また、本発明では、固定シャッタ２７に挿入口３１を設けても良いことは勿論である。さらに、本発明では、内側搬送部１５を設けなくても良いことは勿論である。
【００６３】
前述した実施例によれば、以下のＣＤチェンジャ１が得られる。
【００６４】
（付記）  ＣＤ２を機器本体３に出し入れするディスク搬送部４と、
ＣＤ２を機器本体３に出し入れする際に前記ＣＤ２が通る挿入口３１を開閉するとともに、前記ディスク搬送部４がＣＤ２を出し入れする時のみ前記挿入口３１を開放する開閉部１７と、を備えたＣＤチェンジャ１において、
前記ディスク搬送部４を前記開閉部１７よりも機器本体３の外側に配置したことを特徴とするＣＤチェンジャ１。
【００６５】
付記に記載のＣＤチェンジャ１によれば、ディスク搬送部４を開閉部１７よりも機器本体３の固定シャーシ９の外側に配置したので、開閉部１７が挿入口３１を塞いだ状態であっても、ディスク搬送部４にＣＤ２を挿入することが可能である。このため、ディスク搬送部４にＣＤ２が挿入されたことを検出すると、開閉部１７が挿入口３１を開放してディスク搬送部４に出し入れを行わせることで、ＣＤ２をディスク搬送部４に挿入することのみによって、当該ＣＤ２を機器本体３内に収容することができる。したがって、挿入口３１が待機時に常に塞がれるＣＤチェンジャ１であっても、ＣＤ２をディスク搬送部４に挿入することのみによって、当該ＣＤ２を機器本体３内に収容でき、ＣＤ２を収容する際の操作を減らすことが可能となる。
【００６６】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００６７】
【図１】本発明の一実施例にかかる情報処理装置としてのＣＤチェンジャの外観を示す斜視図である。
【図２】図１に示されたＣＤチェンジャの互いに組み付けられた固定シャーシとディスク再生部とディスク収容部とディスク移動機構と開閉部を示す斜視図である。
【図３】図２に示された開閉部に取り付けられたディスク搬送部などを拡大して示す斜視図である。
【図４】図１に示されたＣＤチェンジャの開閉部が挿入口を閉じた状態を示す正面図である。
【図５】図４に示された開閉部が挿入口を開放した状態を示す正面図である。
【符号の説明】
【００６８】
１  ＣＤチェンジャ（情報処理装置）
２  ＣＤ（記録媒体）
３  機器本体
１０  挿入口
１６  ＭＰＵ（制御手段）
１７  開閉部
３１  挿入口
３９  ローラアーム（挟持部材）
４０  ディスクガイド（挟持部材）
４５  検出部
【図１】
2008251125.tif 000003
【図２】
2008251125.tif 000004
【図３】
2008251125.tif 000005
【図４】
2008251125.tif 000006
【図５】
2008251125.tif 000007